(57)【要約】【課題】スペース効率の向上を図った鍵盤装置を提供する。【解決手段】質量体４０が、棒状本体部４２と、棒状本体部４２の一端を軸Ｃ２に向けて折り返すように上側に曲げる曲げ加工が施された第１曲部４３と、を有していて、棒状本体４２において第１曲部４３よりも一端側である最上側部４２Ａ及び第１曲部４３よりも他端側である最下側部４２Ｂとの成す角度θＴが質量体４０の最大回転角度θＳから質量体４０の後端部の上側に設けられたフレーム２０の下面と質量体４０の後端部の下側に設けられたボトムケース３０の上面との成す角度θＫを差し引いた角度となるように、設けられている【選択図】図２
2009042339.tif 000002
【特許請求の範囲】
【請求項１】
前端部が上下方向に回動可能となるように後端部が支持されて設けられた複数の鍵と、前記鍵の回動に連動して軸を中心に回転するように前記鍵に連結された質量体と、前記質量体の一端部の回転範囲の上側及び下側に配置された一対の部材と、を有する鍵盤装置において、
前記質量体が、棒状本体部と、前記棒状本体部の一端を前記軸に向けて折り返すように上側又は下側に曲げる曲げ加工が施された第１曲部と、を有していて、
前記棒状本体部において前記第１曲部よりも他端側、及び、前記第１曲部よりも一端側のうちの最も上側に位置する最上側部と、最も下側に位置する最下側部と、の成す角度が前記質量体の最大回転角度から前記質量体の一端部の上側に設けられた前記部材の下面と前記質量体の一端部の下側に設けられた前記部材の上面との成す角度を差し引いた角度となるように、前記質量体が設けられている
ことを特徴とする鍵盤装置。
【請求項２】
前記質量体が、前記質量体の一端をさらに前記軸から離れた側に向けて折り返すように上側又は下側に曲げる曲げ加工が施された第２曲部を有することを特徴とする請求項１に記載の鍵盤装置。
【請求項３】
前端部が上下方向に回動可能となるように後端部が支持されて設けられた複数の鍵と、前記鍵の回動に連動して軸を中心に回転するように前記鍵に連結された質量体と、前記質量体の一端部の回転範囲の上側及び下側に配置された一対の部材と、を有する鍵盤装置において、
前記質量体が、棒状本体部と、前記棒状本体部の一端を前記軸に向けて又は前記軸から離れた側に向けて折り返すように上側又は下側に曲げる曲げ加工が施された複数の曲部と、を有していて、
前記棒状本体部において前記複数の曲部のうち最も他端側の曲部よりも他端側、前記曲部と前記曲部との間、及び、前記複数の曲部のうち最も一端側の曲部よりも一端側、のうちの最も上側に位置する最上側部と、最も下側に位置する最下側部と、の成す角度が前記質量体の最大回転角度から前記質量体の一端部の上側に設けられた前記部材の下面と前記質量体の一端部の下側に設けられた前記部材の上面との成す角度を差し引いた角度となるように、前記質量体が設けられている
ことを特徴とする鍵盤装置。
【請求項４】
前記最上側部及び前記最下側部との成す角度が前記質量体の最大回転角度となるように、前記質量体が設けられている
ことを特徴とする請求項１〜３の何れか１項に記載の鍵盤装置。
【請求項５】
前記質量体の一端部の上側に設けられた前記部材の下面と前記質量体の一端部の下側に設けられた前記部材の上面とが水平となるように、前記一対の部材が設けられていることを特徴とする請求項４に記載の鍵盤装置。
【請求項６】
前記質量体の一端部の上側に設けられた前記部材の下面に設けられていて前記質量体の最上側部と当接して前記鍵及び前記質量体の回動角度を規制する上ストッパと、
前記質量体の一端部の下側に設けられた前記部材の上面に設けられていて前記質量体の最下側部と当接して前記鍵及び前記質量体の回動角度を規制する下ストッパとを有することを特徴とする請求項１〜５何れか１項に記載の鍵盤装置。
【発明の詳細な説明】
【技術分野】
【０００１】
本発明は、鍵盤装置に係り、特に、質量体と、質量体を収容するケースと、を備えた鍵盤装置に関するものである。
【背景技術】
【０００２】
電子楽器の鍵盤装置においては、図１１に示すように、自然楽器の押鍵タッチ感触に近似した重量感のあるタッチ感触を得るために各鍵に対応してハンマー等の質量体を備えている（例えば特許文献１〜４）。この種の鍵盤装置１００では、例えば、鍵１０の回動に連動して一端が上下方向Ｙ３に回動する質量体４０が鍵１０の下側に取り付けられている。この質量体４０は、上側に鍵が取り付けられるフレーム２０と、フレーム２０の下側を塞ぐボトムケース３０との間に設けられている。
【０００３】
上述した質量体４０の回動範囲（初期位置から押し切り位置まで）は、上ストッパ５１、下ストッパ５２により規制されている。上記鍵盤装置１００は、質量体４０の後端が上ストッパ５１に当接したときに鍵１０は押鍵押し切り位置となり、下ストッパ５２に当接したときに鍵１０は初期位置となる。
【０００４】
しかしながら、上述した鍵盤装置１００は、図１２（Ａ）に示すように、押し切り位置での質量体４０の後端部とフレーム２０の上面とが平行になっておらず、スペースＡ１が有効に使われていない、という問題があった。また、図１２（Ｂ）に示すように、初期位置でも質量体４０の後端部とボトムケース３０の下面とが平行になっておらず、スペースＡ２が有効に使われていない、という問題があった。
【０００５】
特に、質量体４０の長さを短くすると、短い質量体４０で大きな質量感を得るために、質量体４０の回動角度を大きくする必要がある。このため、押し切り位置での質量体４０の後端部とフレーム２０の下面との成す角度θ１や、初期位置での質量体４０の後端部とボトムケース３０の上面との成す角度θ２を大きくする必要があり、ますますスペースを有効に使えなくなる、という問題があった。
【特許文献１】実用登録第２５６７７７４号公報
【特許文献２】実用登録第２５６５９９８号公報
【特許文献３】特開平６−８３３５１号公報
【特許文献４】特許第２９１７８６３号公報
【発明の開示】
【発明が解決しようとする課題】
【０００６】
そこで、本発明は、上記のような問題点に着目し、スペース効率の向上を図った鍵盤装置を提供することを課題とする。
【課題を解決するための手段】
【０００７】
上記課題を解決するためになされた請求項１記載の発明は、鍵の回動に連動して軸を中心に回動するように鍵に取り付けられた質量体を有する鍵盤装置において、前記質量体が、棒状本体部と、前記棒状本体部の一端を前記軸に向けて折り返すように上側又は下側に曲げる曲げ加工が施された第１曲部と、を有していて、前記棒状本体部において前記第１曲部よりも他端側、及び、前記第１曲部よりも一端側のうちの最も上側に位置する最上側部と、最も下側に位置する最下側部と、の成す角度が前記質量体の最大回転角度から前記質量体の一端部の上側に設けられた前記部材の下面と前記質量体の一端部の下側に設けられた前記部材の上面との成す角度を差し引いた角度となるように、前記質量体が設けられている。
【０００８】
請求項２記載の発明は、前記質量体が、前記質量体の一端をさらに前記軸から離れた側に向けて折り返すように上側又は下側に曲げる曲げ加工が施された第２曲部を有する。
【０００９】
請求項３記載の発明は、鍵の回動に連動して軸を中心に回動するように鍵に取り付けられた質量体を有する鍵盤装置において、前記質量体が、棒状本体部と、前記棒状本体部の一端を前記軸に向けて又は前記軸から離れた側に向けて折り返すように上側又は下側に曲げる曲げ加工が施された複数の曲部と、を有していて、前記棒状本体部において前記複数の曲部のうち最も他端側の曲部よりも他端側、前記曲部と前記曲部との間、及び、前記複数の曲部のうち最も一端側の曲部よりも一端側、のうちの最も上側に位置する最上側部と、最も下側に位置する最下側部と、の成す角度が前記質量体の最大回転角度から前記質量体の一端部の上側に設けられた前記部材の下面と前記質量体の一端部の下側に設けられた前記部材の上面との成す角度を差し引いた角度となるように、前記質量体が設けられている。
【００１０】
請求項４記載の発明は、前記最上側部及び前記最下側部との成す角度が前記質量体の最大回転角度となるように、前記質量体が設けられている。
【００１１】
請求項５記載の発明は、質量体の一端部の上側に設けられた前記部材の下面と前記質量体の一端部の下側に設けられた前記部材の上面とが水平となるように、前記一対の部材が設けられている。
【００１２】
請求項６記載の発明は、上ストッパが、前記質量体の一端部の上側に設けられた前記部材の下面に設けられていて前記質量体の最上側部と当接して前記鍵及び前記質量体の回動角度を規制し、下ストッパが、前記質量体の一端部の下側に設けられた前記部材の上面に設けられていて前記質量体の最下側部と当接して前記鍵及び前記質量体の回動角度を規制する。
【発明の効果】
【００１３】
以上説明したように請求項１記載の発明によれば、質量体の一端が回転範囲の上端に位置した状態で最上側部と質量体の一端部の上側に設けられた部材の下面とが平行になり、かつ、質量体の一端が回転範囲の下側に位置した状態で最下側部と質量体の一端部の下側に設けた部材の上面とが平行になるように、質量体を設けることができるので、スペース効率の向上を図ることができる。
【００１４】
請求項２記載の発明によれば、第２曲部を設けることにより、質量体の回転軸と重心との距離を離すことができ、より一層質量感を与えることができる。
【００１５】
請求項３記載の発明によれば、質量体の一端が回転範囲の上端に位置した状態で最上側部と質量体の一端部の上側に設けられた部材の下面とが平行になり、かつ、質量体の一端が回転範囲の下側に位置した状態で最下側部と質量体の一端部の下側に設けた部材の上面とが平行になるように、質量体を設けることができるので、スペース効率の向上を図ることができる。また、曲部を複数設けることにより、質量体の回転軸と重心との距離を離すことができ、より一層質量感を与えることができる。
【００１６】
請求項４記載の発明によれば、質量体の一端部の上側に設けられた部材の下面と質量体の一端部の下側に設けられた部材の上面とを平行に設けることができ、一対の部材を簡単に設けることができる。
【００１７】
請求項５記載の発明によれば、質量体の一端部の上側に設けられた部材の下面と質量体の一端部の下側に設けられた部材の下面とを水平に設けることができ、一対の部材を簡単に設けることができる。
【００１８】
請求項６記載の発明によれば、上ストッパの当接面と平行に最上側部が当接し、下ストッパの当接面と平行に最下側部が当接するので、ストッパの当接面全体に均一に力がかかるため耐久性の向上を図ることができる。
【発明を実施するための最良の形態】
【００１９】
第１実施形態
以下、本発明の一実施の形態を図面に基づいて説明する。図１は、本発明の鍵盤装置１００の一実施形態を示す上面図である。図２は、第１実施形態における鍵盤装置１００を示す部分側面である。以下説明において、鍵盤装置１００の「上下左右前後」は演奏時の演奏者側から見た正立状態における「上下左右前後」を意味する。
【００２０】
鍵盤装置１００は、例えば電子鍵盤楽器に用いられるものである。同図に示すように、鍵盤装置１００は、鍵１０と、フレーム２０と、ボトムケース３０と、質量体４０と、上ストッパ５１及び下ストッパ５２と、を備えている。上記鍵１０は、図１に示すように黒鍵及び白鍵が左右方向Ｙ１に複数並設されている。フレーム２０は、上板部２１と、上板部２１の前後方向Ｙ２両側から垂下された前側立壁部２２及び後側立壁部２３と、から構成され、下側が開口されている。このフレーム２０の下側に設けられた開口は、ボトムケース３０によって塞がれている。
【００２１】
上述した上板部２１は、後側に向かうに従って下側に近づくテーパ部２４と、テーパ部２４の前側に水平に設けられた水平部２５と、から構成されている。また、上記ボトムケース３０は、後側に向かうに従って下側に近づくテーパ部３１と、テーパ部３１の前後方向Ｙ２両端に設けられた水平部３２と、から構成されている。そして、フレーム２０の前側立壁部２２はボトムケース３０の前側の水平部３２上面に配置され、後側立壁部２３はボトムケース３０の後側の水平部３２の上面に配置されている。
【００２２】
また、フレーム２０の上側には、鍵１０が配置されている。鍵１０は、前端部が上下方向Ｙ３に回動可能となるように軸Ｃ１を支点として鍵支持部２６に軸支されていて、軸Ｃ１を中心として回動する。鍵支持部２６は、テーパ部２４上に突設されている。上記質量体４０は、鍵１０の回動に連動して軸Ｃ２を中心に回動するようにフレーム２０に支持されている。質量体４０は、フレーム２０とボトムケース３０との間に収容されている。つまり、フレーム２０及びボトムケース３０は、質量体４０を収容するケースとして機能する。
【００２３】
質量体４０は、樹脂などから構成されている作動部４１と、棒状の金属から形成された前後方向Ｙ２に延びる棒状本体部４２と、棒状本体部４２の後端（一端）を軸Ｃ２に向けて折り返すように上側に曲げる曲げ加工が施された第１曲部４３と、最上側部４２Ａと、最下側部４２Ｂと、で構成されている。最上側部４２Ａは、棒状本体部４２において第１曲部４３よりも前端（他端）側、及び、第１曲部４３よりも後端側、のうちの最も上側に位置する部材である。最下側部４２Ｂは、棒状本体部４２において第１曲部４３よりも前端側、及び、第１曲部４３よりも後端側、のうちの最も下側に位置する部材である。質量体４０は、フレーム２０に設けた質量体支持部２７により作動部４１の軸Ｃ２を支点として支持されている。質量体支持部２７は、上記鍵支持部２６よりも前側の上板部２１下面に設けられている。
【００２４】
上記質量体４０は、その後端が後側立壁部２３や、鍵支持部２６よりも前側になるように設けられている。そして、質量体４０の後端部は、フレーム２０のテーパ部２４とボトムケース３０のテーパ部３１との間に設けられる。言い換えると、質量体４０の後端部の回転範囲の上側には一対の部材の一方であるフレーム２０のテーパ部２４が配置され、下側には一対の部材の他方であるボトムケース３０のテーパ部３１が配置される。また、作動部４１の前端には上下に二股に分かれた連結片４１Ａが形成されており、鍵１０から下側に向かって突出する作用部１１の下端部に設けられた連結ピン１１Ａが連結片４１Ａに挟まれている。
【００２５】
上述した上ストッパ５１、下ストッパ５２は、質量体４０と当接して鍵１０及び質量体４０の回動範囲を規制するストッパである。上ストッパ５１、下ストッパ５２は、フェルト等のクッション材からなっていて、質量体４０との当接時の衝撃が低減するようになっている。上記上ストッパ５１は、テーパ部２４の下面に設けられている。そして、演奏者が鍵１０を押鍵すると作用部１１が作動部４１を押し下げ、質量体４０が回転軸Ｃ２を回動中心として図１において反時計回りに回動して、質量体４０の最上側部４２Ａと上ストッパ５１とが当接すると押し切り状態となる。一方、下ストッパ５２は、ボトムケース３０のテーパ部３１の上面に設けられている。そして、演奏者が離鍵すると、質量体４０が回転軸Ｃ２を回動中心として図１において時計回りに回動して、最下側部４２Ｂと下ストッパ５２とが当接すると初期位置となる。
【００２６】
また、上記作動部４１には、軸Ｃ２付近に質量体４０の後端側を下側に曲げる第３曲部４５が設けられている（第２曲部４７は後述する）。この第３曲部４５は、質量体４０の後端が回転範囲の下端に位置した状態で最下側部４２Ｂとテーパ部３１とが平行になり、質量体４０の後端が回転角度の上端に位置した状態で最上側部４２Ａとテーパ部２４とが平行になるような角度に設けられている。
【００２７】
次に、上述した質量体４０の構成についてさらに詳しく説明する。最上側部４２Ａとこの最上側部４２Ａと対向する最下側部４２Ｂとの成す角度、即ち第１曲部４３の曲げ角度θＴは、下記の式（１）に示すように、質量体４０の最大回転角度θＳから最上側部４２Ａの上側にあるフレーム２０のテーパ部２４の下面と最上側部４２Ａの下側にあるボトムケース３０のテーパ部３１の上面との成す角度θＫ１を差し引いた角度となるように設けられている。また、曲げ角度θＴは０°より大きくなるように設けられている。
９０度＞θＴ＝θＳ−θＫ１＞０度…（１）
実際にはθＴは２０度程度に設けられる。
【００２８】
また、上述したテーパ部２４に設けられた上ストッパ５１の当接面と、テーパ部３１に設けられた下ストッパ５２の当接面との成す角度が角度θＫ１と等しくなるように、上ストッパ５１及び下ストッパ５２が設けられている。
【００２９】
上述した鍵盤装置１００によれば、第１曲部４３の曲げ角度θＴが質量体４０の最大回転角度θＳから質量体４０の後端部の上側に設けられたテーパ部２４の下面と質量体４０の後端部の下側に設けられたテーパ部３１の上面との成す角度θＫ１を差し引いた角度となるように、質量体４０が設けられている。これにより、質量体４０の後端が回転範囲の上端に位置した状態で最上側部４２Ａと質量体４０の後端部の上側に設けられたテーパ部２４の下面とが平行になり、かつ、質量体４０の後端が回転範囲の下側に位置した状態で最上側部４２Ａに対向する最下側部４２Ｂと質量体４０の後端部の下側に設けたテーパ部３１の上面とが平行になるので、図１２に示すようにスペースＡ１、Ａ２が生じることがなくなり、スペース効率の向上を図ることができる。
【００３０】
また、上述した鍵盤装置１００によれば、質量体４０の後端部の上側にあるテーパ部２４の下面に設けられた上ストッパ５１が、質量体４０の最上側部４２Ａと当接して鍵１０及び質量体４０の回動角度を規制し、質量体４０の後端部の下側にあるテーパ部３１の上面に設けられた下ストッパ５２が、質量体４０の最下側部４２Ｂと当接して鍵１０及び質量体４０の回動角度を規制する。このように上ストッパ５１、下ストッパ５２を設けることにより、図３に示すように、上ストッパ５１及び最上側部４２Ａの当接箇所ｖと、下ストッパ５２及び最下側部４２Ｂの当接箇所ｌとの間に第１曲部４３を設けることができる。よって、図４に示すように、上ストッパ５１の当接面と平行に最上側部４２Ａが当接し、下ストッパ５２の当接面と平行に最下側部４２Ｂが当接する。このため、上ストッパ５１、下ストッパ５２の当接面に対して垂直な力Ｆが、質量体４０と上下ストッパ５１、５２との当接時に作用し、上下ストッパ５１、５２の当接面全体に均一に力がかかるため耐久性の向上を図ることができる。
【００３１】
また、上述した鍵盤装置１００によれば、質量体４０に第１曲部４３を設けることにより質量体４０の後端部に弾性を持たせることができる。このため、最上側部４２Ａ及び上ストッパ５１、最下側部４２Ｂ及び下ストッパ５２が、当接したときの衝撃を緩和することができる。
【００３２】
ところで、図５に示すように、最上側部４２Ａの長さｌＡ１＝ｌＢ１＝ｌＣ１が等しいとき、上記曲げ角度θＴが大きくなるほど（θＴＡ＜θＴＢ＜θＴＣ）、重心Ｇが後端側にずれるため軸Ｃ２と質量体４０の重心Ｇとの距離が長くなる（ｌＡ２＞ｌＢ２＞ｌＣ２）。よって、上述した鍵盤装置１００のように、曲げ角度θＴを０度より大きくして、ある程度の角度を持たせることにより、軸Ｃ２と質量体４０の重心Ｇとの距離を長くすることができ、これによって、質量体４０を軽くしても、押鍵時に大きな質量感（手ごたえ感）を得ることができる。なお、曲げ角度θＴを大きく設けるほど、質量体４０の重みには有効に働くが、鍵１０下の空間が大きくなってしまうので、曲げ角度θＴは、質量体４０の重みや、フレーム２０やボトムケース３０の大きさなどによって適宜決められる。
【００３３】
また、本発明は、上述したように質量体４０の後端部が鍵１０を支持する鍵支持部２６よりも前側に配置されている鍵盤装置１００のスペース効率の向上に有効な技術である。
【００３４】
第２実施形態
次に、第２実施形態における鍵盤装置１００について説明する。図６は、第２実施形態における鍵盤装置１００を示す部分側面図である。図６において、図１〜図５について上述した第１実施形態で既に説明した部分と同等の部分は同一符号を付してその詳細な説明を省略する。
【００３５】
第１実施形態と大きく異なる点は、フレーム２０、ボトムケース３０及び質量体４０の形状である。同図に示すように、フレーム２０及びボトムケース３０は各々、テーパ部２４及び３１が設けられていない。そして、フレーム２０の上板部２１とボトムケース３０とは、互いに平行に、かつ、水平に配置されていて、質量体４０の後端部は、フレーム２０の上板部２１とボトムケース３０との間に設けられている。言い換えると、質量体４０の後端部の回転範囲の上側には一対の部材であるフレーム２０の上板部２１が配置され、下側には一対の部材の他方であるボトムケース３０が配置される。
【００３６】
上述した質量体４０は、下記の式（２）に示すように、第１曲部４３の曲げ角度θＴが、質量体４０の最大回転角度θＳと等しくなるように、質量体４０が設けられている。即ち、フレーム２０の上板部２１とボトムケース３０との成す角度θＫ２が０度になるように設けられている。
９０度＞θＴ＝θＳ（∵θＫ２＝０度）＞０度  …（２）
【００３７】
さらに、棒状本体部４２は、後端側を上側に向かって曲げる曲げ加工が施された第４曲部４６が設けられている。第４曲部４６は、質量体４０の後端が回転範囲の下端に位置した状態で第４曲部４６よりも後端側の最下側部４２Ｂが水平となり、質量体４０の後端が回転範囲の上端に位置した状態で最上側部４２Ａが水平となるような角度で曲げる曲げ加工が施されている。
【００３８】
上述した鍵盤装置１００によれば、式（２）に示すように、曲げ角度θＴを設けることにより、質量体４０の後端部上側に設けられた上板部２１と下側に設けられたボトムケース３０とを平行に設けることができる。一般に、工業製品は直交座標系で成立しているものがほとんどであり、素材の歩留まりなど、またデザイン的にもフレーム２０の上板部２１と、ボトムケース３０とを平行にすることは有利であり、フレーム２０、ボトムケース３０の構成が簡単になる。
【００３９】
上述した鍵盤装置１００によれば、さらに、フレーム２０の上板部２１とボトムケース３０とを水平に設けることができるため、より一層、フレーム２０、ボトムケース３０の構成が簡単となる。上述した鍵盤装置１００によれば、上述した第１実施形態と同等の部分については、第１実施形態と同様の効果を得ることができる。
【００４０】
第３実施形態
次に、第３実施形態における鍵盤装置１００について説明する。図７は、第３実施形態における鍵盤装置１００を示す部分側面図である。図７において、図１〜図５について上述した第１実施形態で既に説明した部分と同等の部分は同一符号を付してその詳細な説明を省略する。
【００４１】
第２実施形態と大きく異なる点は、質量体４０の形状である。上述した質量体４０は、第１実施形態と同様に、作動部４１と、棒状本体部４２と、第１曲部４３と、最上側部４２Ａと、最下側部４２Ｂと、で構成されている。また、上記式（２）に示すように、第１曲部４３の曲角度θＴが、質量体４０の最大回転角度θＳと等しくなるように、質量体４０が設けられている。
【００４２】
さらに、作動部４１には、後端側が下側に向けて曲げられた第３曲部４５が設けられ、棒状本体部４２には、後端側を上側に向かって曲げる曲げ加工が施された第４曲部４６が設けられている。第３曲部４５及び第４曲部４６は各々、質量体４０の後端が回転範囲の下端に位置した状態で第４曲部４６よりも後端側の最下側部４２Ｂが水平となり、質量体４０の後端が回転範囲の上端に位置した状態で最上側部４２Ａが水平となるような角度で曲げられている。第３実施形態も、第１及び第２実施形態と同等の部分については、第１及び第２実施形態と同様の効果を得ることができる。
【００４３】
なお、上述した第２及び第３実施形態によれば、フレーム２０の上板部２１とボトムケース３０とを平行に設けていたが、本発明はこれに限ったものではない。例えば、図１と同様に、上板部２１とボトムケース３０とにテーパ部２４、３１を設け、これらテーパ部２４、３１を互いに平行になるようにしてもよい。この場合も、式（２）を満たすように、質量体４０を形成すればよい。
【００４４】
第４実施形態
次に、第４実施形態における鍵盤装置１００について説明する。図８は、第４実施形態における鍵盤装置１００を示す部分側面図である。図７において、図１〜図５について上述した第１〜第３実施形態で既に説明した部分と同等の部分は同一符号を付してその詳細な説明を省略する。
【００４５】
第２及び第３実施形態と大きく異なる点は、フレーム２０及び質量体４０の形状と、上ストッパ５１の位置である。フレーム２０は、第２及び第３実施形態と同様に、テーパ部２４及び３１が設けられていない。そして、質量体４０の後端部の上側に位置するフレーム２０の上板部２１には、開口部２８が設けられている。これにより、質量体４０の後端部は、鍵１０とボトムケース３０との間に設けられている。言い換えると、質量体４０の後端部の回転範囲の上側には一対の部材である鍵１０が配置され、下側には一対の部材の他方であるボトムケース３０が配置される。また、上ストッパ５１は、フレーム２０の上板部２１の上面前部に設けられ、鍵１０と当接して鍵１０及び質量体４０の回転角度を規制するように設けられている。
【００４６】
次に、上述した質量体４０の第１曲部４３の構成について以下説明する。第１曲部４３の曲げ角度θＴは、下記の式（３）に示すように、質量体４０の最大角度θＳから鍵１０と上ストッパ５１とが当接して鍵１０の前端が回転角度の下端にした状態での鍵１０の下面とボトムケース３０とのなす角度θＫ３を差し引いた角度となるように設けられている。
９０度＞θＴ＝θＳ−θＫ３＞０度…（３）
【００４７】
また、棒状質量体４０は、軸Ｃ２と第１曲部４３との間に、後端部を上側に向けて曲げる曲げ加工が施された第４曲部４６が２箇所設けられている。
【００４８】
上述した鍵盤装置１００によれば、第１実施形態と同様に、質量体４０の後端が回転範囲の上側に位置した状態で最上側部４２Ａと質量体４０の後端部の上側に設けられた鍵１０の下面とが平行になり、かつ、質量体４０の後端が回転範囲の下側に位置した状態で最下側部４２Ｂと質量体４０の後端部の下側に設けられたボトムケース３０の上面とが平行になるので、スペース効率の向上を図ることができる。さらに、開口部２８を設けることにより、上板部２１と鍵１０との間も質量体４０の後端部の回転範囲にすることができ、より一層スペース効率の向上を図ることができる。
【００４９】
また、上述した第４実施形態によれば、質量体４０は、質量体４０の後端をさらに軸Ｃ２から離れた側に向けて折り返すように上側又は下側に曲げる曲げ加工が施された第２曲部４７と、第２曲部４７により軸Ｃ２から離れた側に向けて折り返された折返部４８を設けている。これにより、質量体４０の重心Ｇがさらに後端側になって軸Ｃ２と重心Ｇとの距離が離れるため、より一層、押鍵時の質量感を増すことができる。
【００５０】
なお、上述した第４実施形態によれば、第２曲部４７を２箇所設けて折返部４８を設けていたが、本発明はこれに限ったものではない。例えば、図９に示すように、第２曲部４７を１箇所設けて折返部４８を設けるようにしてもよい。
【００５１】
また、上述した第１〜第４実施形態によれば、質量体４０の後端側を上側に折り曲げる第１曲部４３を設けていたが、本発明はこれに限ったものではない。例えば、質量体４０の後端を下側に折り曲げるような第１曲部４３を設けてもよい。この場合、第１〜第４実施形態では、棒状本体部４２において第１曲部４３よりも後端側が最下側部４２Ｂとなり、第１曲部４３よりも前端側が最上側部４２Ａとなる。
【００５２】
また、上述した第１〜第４実施形態によれば、上ストッパ５１及び下ストッパ５２の両方が質量体４０と当接するか、上ストッパ５１が鍵１０に当接し、下ストッパ５２が質量体４０に当接していたが、本発明はこれに限ったものではない。例えば、上ストッパ５１及び下ストッパ５２の両方が、鍵１０に当接するようにしてもよいし、下ストッパ５２が鍵１０に当接し、上ストッパ５１が質量体４０に当接するようにしてもよい。
【００５３】
また、上述した第１〜第４実施形態によれば、最上側部４２Ａと最下側部４２Ｂとの間に１箇所の第１曲部４３を設けていたが、本発明はこれに限ったものではない。例えば、図１０に示すように、第４実施形態の折返部４８と同様に最上側部４２Ａと最下側部４２Ｂの間に２箇所に曲部を設けることも考えられる。
【００５４】
第５実施形態
次に、第５実施形態における鍵盤装置１００について説明する。図１０は、第５実施形態における鍵盤装置１００を構成する質量体４０の部分拡大図である。図１０において、図１〜図８について上述した第１〜第３実施形態で既に説明した部分と同等の部分は同一符号を付してその詳細な説明を省略する。
【００５５】
第１〜第４実施形態と大きく異なる点は、質量体４０の形状である。同図（Ａ）に示す例では、質量体４０において棒状本体部４２には、複数の曲部４３Ａ、４３Ｂが設けられている。曲部４３Ａは、棒状本体部４２の後端を軸Ｃ２に向けて上側に折り曲げる折り曲げ加工が施されている。曲部４３Ｂは、棒状本体部４２の後端を軸Ｃ２から離れた側に向けて折り返すようにさらに上側に折り曲げる折り曲げ加工が施されている。この場合、棒状本体部４２において複数の曲部４３Ａ、４３Ｂのうちの最も前端側の曲部４３Ａよりも前端側、曲部４３Ａと曲部４３Ｂとの間、及び、複数の曲部４３Ａ、４３Ｂのうち最も後端側の曲部４３Ｂよりも後端側、のうちの最も上側に位置する曲部４３Ｂよりも後端側が最上側部４２Ａとなり、最も下側に位置する曲部４３Ａよりも前端側が最下側部４２Ｂとなる。
【００５６】
また、同図（Ｂ）に示す例では、質量体４０において棒状本体部４２には、複数の曲部４３Ｃ〜４３Ｆが設けられている。曲部４３Ｃは、棒状本体部４２の後端を軸Ｃ２に向けて上側に折り曲げる折り曲げ加工が施されている。曲部４３Ｄは、棒状本体部４２の後端を軸Ｃ２から離れた側に向けて折り返すようにさらに上側に折り曲げる折り曲げ加工が施されている。曲部４３Ｅは、棒状本体部４２の後端を軸Ｃ２から離れた側に向けて折り返すように下側に折り曲げる折り曲げ加工が施されている。曲部４３Ｆは、棒状本体部４２の後端を軸Ｃ２に向けて折り返すように下側に折り曲げる折り曲げ加工が施されている。この場合、棒状本体部４２において複数の曲部４３Ｃ〜４３Ｆのうちの最も前端側の曲部４３Ｃよりも前端側、曲部４３Ｃと曲部４３Ｄとの間、曲部４３Ｅと曲部４３Ｆとの間、及び、複数の曲部４３Ｃ〜４３Ｆのうち最も後端側の曲部４３Ｆよりも後端側、のうちの最も上側に位置する曲部４３Ｅと曲部４３Ｆとの間が最上側部４２Ａとなり、最も下側に位置する曲部４３Ｆよりも前端側が最下側部４２Ｂとなる。
【００５７】
この場合も、第１〜第４実施形態と同様に、最上側部４２Ａと最下側部４２Ｂとの成す角度θＴが式（１）〜（３）を満たすように質量体４２を設ければ、第１〜第４実施形態と同様の効果を得ることができる。
【００５８】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５９】
【図１】本発明の鍵盤装置の一実施形態を示す上面図である。
【図２】第１実施形態における鍵盤装置を示す部分側面である。
【図３】当接箇所と第１曲部との位置関係を説明するための図である。
【図４】（Ａ）及び（Ｂ）はそれぞれ、上ストッパと最上側部との当接時、下ストッパと最下側部との当接時に作用する力を説明するための図である。
【図５】曲げ角度と質量体の重心との関係を示す図である。
【図６】第２実施形態における鍵盤装置を示す部分側面図である。
【図７】第３実施形態における鍵盤装置を示す部分側面図である。
【図８】第４実施形態における鍵盤装置を示す部分側面図である。
【図９】他の実施形態における質量体の部分拡大図である。
【図１０】第５実施形態における鍵盤装置を構成する質量体の部分拡大図である。
【図１１】従来の鍵盤装置の一例を示す側面図である。
【図１２】（Ａ）は図１１（Ａ）のＸ部の拡大図であり、（Ｂ）は図１１（Ｂ）のＹ部の拡大図である。
【符号の説明】
【００６０】
１０…鍵（部材）、２１…上板部（部材）、２４…テーパ部（部材）、３１…テーパ部（部材）、３０…ボトムケース（部材）、４０…質量体、４２…棒状本体部、４２Ａ…最上側部、４２Ｂ…最下側部、４３…第１曲部、４３Ａ〜４３Ｆ…曲部、４７…第２曲部、５１…上ストッパ、５２…下ストッパ、１００…鍵盤装置、Ｙ３…上下方向
【図１】
2009042339.tif 000003
【図２】
2009042339.tif 000004
【図３】
2009042339.tif 000005
【図４】
2009042339.tif 000006
【図５】
2009042339.tif 000007
【図６】
2009042339.tif 000008
【図７】
2009042339.tif 000009
【図８】
2009042339.tif 000010
【図９】
2009042339.tif 000011
【図１０】
2009042339.tif 000012
【図１１】
2009042339.tif 000013
【図１２】
2009042339.tif 000014